(57)【要約】      （修正有）【課題】壁面から側方に延びるカウンタ上に荷物を安定して支持させる荷物支持具を提供する。【解決手段】荷物支持具１は、壁面５から側方に延びるカウンタに設置される底面部１５と、底面部１５のカウンタに対する移動を規制する移動規制部１９と、カウンタ上で荷物を支持する支持面部１６とを備えている。支持面部１６は、壁面５側へ傾斜しており、支持面部１６に載置された荷物１２を上記壁面にもたれ掛けさせて支持するように構成されている。【選択図】図５
0003195754.tif 000002
【実用新案登録請求の範囲】
【請求項１】
壁面から側方に延びるカウンタに設置される底面部と、
上記底面部の上記カウンタに対する移動を規制する移動規制部と、
上記カウンタ上で荷物を支持する支持面部とを備えた荷物支持具であって、
上記支持面部は、上記壁面側へ傾斜しており、
上記支持面部に載置された上記荷物を上記壁面にもたれ掛けさせて支持するように構成されている、荷物支持具。
【請求項２】
請求項１に記載された荷物支持具において、
上記移動規制部は、上記底面部の中央位置よりも上記壁面側に配置されている、荷物支持具。
【請求項３】
請求項１又は２に記載された荷物支持具において、
上記壁面には、ケーシングを介して小便器が設置されており、
上記カウンタは、上記ケーシングの上部に設けられており、
上記支持面部は、上記小便器を使用する使用者の荷物を支持するように構成されている、荷物支持具。
【請求項４】
請求項１乃至３の何れか１つに記載された荷物支持具において、
上記支持面部には、上記壁面側へ向かって延びる複数の排水溝が形成されている、荷物支持具。
【請求項５】
請求項１乃至３の何れか１つに記載された荷物支持具において、
上記支持面部には、複数の排水孔が形成されている、荷物支持具。
【請求項６】
請求項３に記載された荷物支持具において、
上記壁面側とは反対側に配置される前面部を備え、
上記前面部には、表示部と、該表示部の前側に配置された半透明又は色付き透明のシート部とが設けられている、荷物支持具。
【請求項７】
請求項１乃至５の何れか１つに記載された荷物支持具において、
上記壁面側とは反対側に配置される前面部を備え、
上記前面部には、表示物を保持する表示物保持部が設けられている、荷物支持具。
【請求項８】
請求項１乃至７の何れか１つに記載された荷物支持具において、
上記カウンタの上面に対する上記支持面部の傾斜角度を調整する角度調整手段を備えている、荷物支持具。
【考案の詳細な説明】
【技術分野】
【０００１】
本考案は、壁面から側方に延びるカウンタ上で荷物を支持する荷物支持具に関する。
【背景技術】
【０００２】
一般に、室内等の壁面から側方に延びるカウンタを設置して、そのカウンタに物品を置けるようにすることが知られている。例えば、男子用トイレ室の壁面には、配管ユニットが収容されたケーシングを介して小便器が設置されており、そのケーシングの上部に、壁面から側方へ延びるカウンタが一体に設けられている（特許文献１等参照）。
【先行技術文献】
【特許文献】
【０００３】
【特許文献１】特開平９−２２８４５５号公報
【考案の概要】
【考案が解決しようとする課題】
【０００４】
この種のカウンタは、その奥行きが比較的狭くなっている場合がある。例えば上述のトイレ室では、使用者の利用スペースをなるべく広く確保するために、ケーシング内に配管ユニットをコンパクトに収容し、ケーシングの奥行きが狭くなるように設計されている。それに伴い、ケーシング上部のカウンタも奥行きが比較的狭くなっている。
【０００５】
このようなカウンタに荷物を置くと、その荷物が壁面とは反対側（つまり手前側）へ落下してしまうおそれがある。例えば、上記トイレ室において小便器の使用者は、両手を自由に使うために、手荷物を目の前のカウンタに置こうとする。しかし、上述のように、そのカウンタは奥行きが比較的狭くなっているので、そのカウンタに荷物を安定して置くことが難しくなっている。そのため、荷物をカウンタに置いたとしても、その荷物がカウンタから使用者側へ落下しやすく、小便器を使用している使用者を驚かせてしまうという問題がある。
【０００６】
本考案は、かかる点に鑑みてなされたものであり、その目的とするところは、壁面から側方に延びるカウンタ上に荷物を安定して支持させることにある。
【課題を解決するための手段】
【０００７】
第１の考案に係る荷物支持具は、壁面から側方に延びるカウンタに設置される底面部と、上記底面部の上記カウンタに対する移動を規制する移動規制部と、上記カウンタ上で荷物を支持する支持面部とを備えた荷物支持具であって、上記支持面部は、上記壁面側へ傾斜しており、上記支持面部に載置された上記荷物を上記壁面にもたれ掛けさせて支持するように構成されている。
【０００８】
第２の考案は、上記第１の考案において、上記移動規制部は、上記底面部の中央位置よりも上記壁面側に配置されている。
【０００９】
第３の考案は、上記第１又は第２の考案において、上記壁面には、ケーシングを介して小便器が設置されており、上記カウンタは、上記ケーシングの上部に設けられており、上記支持面部は、上記小便器を使用する使用者の荷物を支持するように構成されている。
【００１０】
第４の考案は、上記第１乃至第３の考案の何れか１つにおいて、上記支持面部には、上記壁面側へ向かって延びる複数の排水溝が形成されている。
【００１１】
第５の考案は、上記第１乃至第３の考案の何れか１つにおいて、上記支持面部には、複数の排水孔が形成されている。
【００１２】
第６の考案は、上記第３の考案において、上記壁面側とは反対側に配置される前面部を備え、上記前面部には、表示部と、該表示部の前側に配置された半透明又は色付き透明のシート部とが設けられている。
【００１３】
第７の考案は、上記第１乃至第５の考案の何れか１つにおいて、上記壁面側とは反対側に配置される前面部を備え、上記前面部には、表示物を保持する表示物保持部が設けられている。
【００１４】
第８の考案は、上記第１乃至第７の考案の何れか１つにおいて、上記カウンタの上面に対する上記支持面部の傾斜角度を調整する角度調整手段を備えている。
【考案の効果】
【００１５】
第１の考案によれば、荷物支持具は、壁面から側方に延びるカウンタに設置され、その支持面部が壁面側へ傾斜しているので、支持面部に載置された荷物を壁面にもたれ掛けさせることができる。さらに、荷物支持具の底面部は、カウンタに対する移動が移動規制部により規制されているので、荷物支持具が支持面部において荷物の荷重を受けても、荷物支持具が壁面と反対側へ移動しないようにすることができる。したがって、上記荷物支持具によれば、カウンタの奥行きが比較的狭くなっているとしても、そのカウンタ上で荷物を壁面にもたれ掛けさせた状態で確実に支持し、荷物が壁面とは反対側へ落下するのを防止することができる。
【００１６】
第２の考案によれば、移動規制部が適切な位置に配置されているので、荷物が載置された荷物支持具をカウンタに対して好適に固定できる。すなわち、荷物支持具に載置された荷物は、支持面部に支持された状態で壁面にもたれ掛かっているので、その荷物の重心位置は壁面側へ偏ることになる。これに対し、上記荷物支持具では、荷物の荷重を大きく受ける位置である底面部の中央位置よりも壁面側の位置に移動規制部を配置したので、荷物を支持している荷物支持具をカウンタに好適に固定することができる。しかも、底面部の中央位置よりも壁面と反対側の位置に別個の移動規制部をさらに配置する必要がないので、移動規制部を少なくして無駄を無くすことが可能になる。
【００１７】
第３の考案によれば、小便器が設置されているケーシング上部のカウンタにおいて、特に好適に荷物を支持できる。すなわち、上記カウンタは奥行きが狭いことが多いが、このようなカウンタ上であっても、荷物支持具により荷物を確実に支持して、荷物が小便器の使用者側へ落下するのを防止できる。よって、使用者は安心して両手を自由に使うことができる。
【００１８】
第４の考案によれば、支持面部に壁面側へ向かって延びる複数の排水溝を形成したので、トイレ室等の支持面部が水で濡れる可能性のある場所であっても、傾斜した排水溝によって支持面部上を排水できるので、支持面部に載置した荷物が濡れないようにすることができる。
【００１９】
第５の考案によれば、支持面部に複数の排水孔を形成したので、トイレ室等の支持面部が水で濡れる可能性のある場所であっても、複数の排水孔によって支持面部上を排水できるので、支持面部に載置した荷物が濡れないようにすることができる。
【００２０】
第６の考案によれば、壁面側とは反対側の前面部に、表示部とシート部とを重ねて設けることによって使用者の注意を引くことができる。すなわち、使用者は、表示部を見たときに、半透明又は色付き透明のシート部が介在されているために、一見しただけでは表示部を明確に視認できない。そのため、使用者は、表示部に顔を近づけて見ようとすることから、それに伴って、使用者の体が小便器に近づくようになる。その結果、使用者は小便器に近づいた適切な位置で小便器を使用するようになるので、その小便器の周囲の汚れを抑制することができる。
【００２１】
第７の考案によれば、壁面側とは反対側の前面部に、表示物を保持する表示物保持部を設けることによって、荷物支持具に荷物を置く人は、その荷物を置く際に前面部の表示物に自然と目がとまることとなる。よって、表示物を好適に人に視認させることができる。
【００２２】
第８の考案によれば、角度調整手段によってカウンタ上面に対する支持面部の傾斜角度を調整できるので、壁面への荷物のもたれ掛け具合を調節することができる。そのため、例えば、カウンタの奥行きが比較的広い場合には支持面部の傾斜角度を小さく設定することにより、大きい荷物でも支持面部により安定して支持できる。一方、カウンタの奥行きが比較的狭い場合には支持面部の傾斜角度を大きく設定することにより、荷物を壁面に大きくもたれ掛けさせるようにして、荷物を確実に支持することができる。つまり、角度調整手段を設けることにより、カウンタの奥行きの大きさに応じて、荷物をより適切に支持できることとなる。
【図面の簡単な説明】
【００２３】
【図１】図１は、トイレ室のカウンタに設置された荷物支持具を示す斜視図である。
【図２】図２は、荷物支持具の外観を示す斜視図である。
【図３】図３は、図２におけるIII−III線断面図である。
【図４】図４は、図２におけるIV−IV線断面図である。
【図５】図５は、荷物を支持した状態の荷物支持具を示す側面図である。
【図６】図６は、排水溝が形成された荷物支持具を示す斜視図である。
【図７】図７は、排水孔が形成された荷物支持具を示す斜視図である。
【図８】図８は、支持面部が揺動可能に形成された荷物支持具を示す側面図である。
【図９】図９は、複数の層からなる荷物支持具を模式的に示す側面図である。
【考案を実施するための形態】
【００２４】
以下、本考案の実施形態を図面に基づいて詳細に説明する。尚、本考案は、以下の実施形態に限定されるものではない。
《実施形態１》
【００２５】
図１及び図２は、本実施形態における荷物支持具を示す斜視図である。図３は図２におけるIII−III線断面を示し、図４は図２におけるIV−IV線断面を示している。図５は、荷物を支持した状態の荷物支持具を示す側面図である。
【００２６】
例えば鉄道の駅舎等の公共施設や商業施設等にはトイレ室が設けられている。図１に示すように、男子用のトイレ室の壁面５には、箱状のケーシング６を介して小便器７が設置されている。
【００２７】
すなわち、ケーシング６は、その背面側がトイレ室の壁面５と一体に設けられており、その前面に小便器７が取付固定されている。図示を省略するが、ケーシング６には、給水管及び排水管からなる配管ユニットが収容されている。配管ユニットは小便器７に接続されている。トイレ室の床８には、床８を直接汚さないようにするための汚だれ石９が設けられている。
【００２８】
ケーシング６の上部にはカウンタ１１が設けられている。カウンタ１１は、トイレ室等の壁面５から側方に延びるように設けられている。カウンタ１１の上面は水平に延びている。
【００２９】
ここで、限られたトイレ室内のスペースをなるべく広くするためには、ケーシング６の奥行きを狭くして、小便器７がトイレ室の壁５面になるべく近づくような配置設計とすることが望ましい。そのため、ケーシング６上部に設けられるカウンタ１１の奥行きも比較的狭くなっている。
【００３０】
本実施形態における荷物支持具１は、図１及び図５に示すように、カウンタ１１に設置され、そのカウンタ１１上で荷物１２を支持するように構成されている。荷物支持具１は、例えばＥＶＡ発泡体等の樹脂材料によって形成されている。なお、荷物支持具１は、これに限らず一般的なプラスチック材料等によって形成してもよい。
【００３１】
荷物支持具１は、図２及び図５に示すように、カウンタ１１に設置される底面部１５と、カウンタ１１上で荷物１２を支持する支持面部１６とを備えている。支持面部１６は、荷物支持具１の上面部分を構成すると共に、壁面５側へ傾斜している。言い換えれば、支持面部１６は、小便器７の使用者側から壁面５側へ向かうに連れて下方へ傾斜している。こうして、荷物支持具１は、全体として略くさび状に形成されている。
【００３２】
さらに、荷物支持具１は、壁面５側とは反対側に配置される前面部１７と、荷物支持具１における左右の側面を構成する側面部１８とを備えている。また、図３に示すように、底面部１５と支持面部１６との間には、支持面部１６を補強支持するための板状の補強部材２０が介在されている。
【００３３】
荷物支持具１は、幅を例えば２０ｃｍ以上１００ｃｍ以下程度とし、奥行きを例えば１０ｃｍ以上４０ｃｍ以下とし、支持面部１６の傾斜角度を例えば１０°以上４０°以下とすることが好ましい。このような寸法及び傾斜角度とすることにより、カウンタ１１上で荷物１２を適切に支持することができる。
【００３４】
また、図５に示すように、荷物支持具１は、底面部１５のカウンタ１１に対する移動を規制する移動規制部１９を備えている。移動規制部１９は、例えば着脱自在な粘着材テープや吸盤部材等によって構成することができる。なお、移動規制部１９をネジ等により構成し、カウンタ１１に固定するようにしてもよい。移動規制部１９は、底面部１５の中央位置よりも少なくとも壁面５側に配置されている。
【００３５】
こうして、荷物支持具１は、支持面部１６が小便器７を使用する使用者の荷物１２を支持した状態で、その支持面部１６に載置された荷物１２を壁面５にもたれ掛けさせて支持するように構成されている。
【００３６】
また、図２に示すように、荷物支持具１の前面部１７には、表示物２２を保持する表示物保持部２３が設けられている。表示物２２は、シート状に形成され、例えば、商品又は役務の広告や、使用者に小便器７の使用上の注意を促す注意書きを表示する。
【００３７】
表示物保持部２３は、透明な矩形状のシートによって構成され、その左右両側部分と、下側部分とが前面部に接着される一方、上側部分が開放されている。そのことにより、表示物保持部２３は、上側部分から表示物２２を差し替え可能な状態で保持している。このように、表示物保持部２３を前面部１７に設けることによって、荷物支持具１に荷物を置く人が、表示物２２を容易に視認できるようにしている。
【００３８】
さらに、図２及び図４に示すように、荷物支持具１の前面部１７には、表示部２５と、表示部２５の前側に配置された半透明又は色付き透明のシート部２６とが設けられている。表示部２５は、開口部２７を有するカバー２８によって覆われている。カバー２８は、例えばＥＶＡ発泡体等の樹脂材料によって形成することが可能である。尚、他の構成としては、表示部２５に記載する文字を小さくしたり、表示部２５に表示する画像を直近で覗かなくては認識できないような精細なものとしてもよい。この場合には、半透明又は色付き透明シート２６は透明シートであってもよく、シートそのものが無くてもよい。
【００３９】
開口部２７は、カバー２８の内側からシート部２６によって閉塞されている。このように、表示部２５の前方にシート部２６を配置することによって、荷物支持具１に荷物を置く人が表示部２５を見たときに、一見しただけでは正確に視認しにくいような構成となっている。
【００４０】
本実施形態１によると、荷物支持具１に載置された荷物１２をカウンタ１１上で確実に支持することができる。すなわち、荷物支持具１は、壁面５から側方に延びるカウンタ１１に設置され、その支持面部１６が壁面５側へ傾斜しているので、支持面部１６に載置された荷物１２を壁面５にもたれ掛けさせることができる。さらに、荷物支持具１の底面部１５は、カウンタ１１に対する移動が移動規制部１９により規制されているので、荷物支持具１が支持面部１６において荷物１２の荷重を受けても、荷物支持具１が壁面５と反対側へ移動しないようにすることができる。したがって、この荷物支持具１によれば、カウンタ１１の奥行きが比較的狭くなっているとしても、そのカウンタ１１上で荷物１２を壁面５にもたれ掛けさせた状態で確実に支持し、荷物１２が壁面５とは反対側へ落下するのを防止することができる。
【００４１】
さらに、移動規制部１９が適切な位置に配置されているので、荷物１２が載置された荷物支持具１をカウンタ１１に対して好適に固定できる。すなわち、荷物支持具１に載置された荷物１２は、支持面部１６に支持された状態で壁面５にもたれ掛かっているので、その荷物１２の重心位置は壁面５側へ偏ることになる。これに対し、この荷物支持具１では、荷物１２の荷重を大きく受ける位置である底面部１５の中央位置よりも壁面５側の位置に移動規制部１９を配置したので、荷物１２を支持している荷物支持具１をカウンタ１１に好適に固定することができる。しかも、底面部１５の中央位置よりも壁面５と反対側の位置に別個の移動規制部１９をさらに配置する必要がないので、移動規制部１９を少なくして無駄を無くすことができる。
【００４２】
さらにまた、上述のように、上記荷物支持具１は、小便器７が設置されているケーシング６上部のカウンタ１１において、特に好適に荷物１２を支持できる。すなわち、上記カウンタ１１は奥行きが狭いことが多いが、このようなカウンタ１１上であっても、荷物支持具１により荷物１２を確実に支持して、荷物１２が小便器７の使用者側へ落下するのを防止できる。よって、使用者は安心して両手を自由に使うことができる。
【００４３】
また、荷物支持具１の前面部１７に、表示部２５とシート部２６とを重ねて設けることによって使用者の注意を引くことができる。すなわち、使用者は、表示部２５を見たときに、半透明又は色付き透明のシート部２６が介在されているために、一見しただけでは表示部２５を明確に視認できない。そのため、使用者は、表示部２５に顔を近づけて見ようとすることから、それに伴って、使用者の体が小便器７に近づくようになる。その結果、使用者は小便器７に近づいた適切な位置で小便器７を使用するようになるので、その小便器７の周囲の汚れを抑制することができる。
【００４４】
そのことに加え、荷物支持具１の前面部１７に、表示物２２を保持する表示物保持部２３を設けることによって、小便器７の使用者は、荷物１２を置く際に前面部１７の表示物２２に自然と目がとまることとなる。よって、例えば広告や注意書き等の表示物２２を好適に人に視認させることができる。
《実施形態２》
【００４５】
図６及び図７は、本考案の実施形態２を示している。尚、以降の各実施形態では、図１〜図５と同じ部分については同じ符号を付して、その詳細な説明を省略する。
【００４６】
図６は排水溝３１が形成された荷物支持具１を示し、図７は排水孔３２が形成された荷物支持具１を示している。本実施形態における荷物支持具１は、支持面部１６上から水を排出するための排水手段を有している。
【００４７】
図６に示す荷物支持具１の支持面部１６には、壁面５側へ向かって延びる複数の排水溝３１が形成されている。排水溝３１は支持面部１６の上面に形成されているので、壁面５側へ傾斜している。このような排水溝３１を形成することにより、支持面部１６上の水を壁面５側の斜め下方へ排出することができる。
【００４８】
図７に示す荷物支持具１の支持面部１６には、複数の排水孔３２が形成されている。排水孔３２は、支持面部１６を貫通するように形成されている。さらに、底面部１５にも排水のための貫通孔（図示省略）が複数形成されている。そのことにより、支持面部１６上の水を下方へ排出するようになっている。
【００４９】
したがって、本実施形態によると、上記実施形態１で説明したように荷物支持具１によって荷物１２をカウンタ１１上で確実に支持できると共に、支持面部１６上を適切に排水することができる。すなわち、支持面部１６に排水溝３１又は排水孔３２が形成されているので、トイレ室等の支持面部１６が水で濡れる可能性のある場所であっても、これらの排水溝３１又は排水孔３２によって支持面部１６上を排水できるので、支持面部１６に載置した荷物１２が濡れないようにすることができる。
《実施形態３》
【００５０】
図８及び図９は、本考案の実施形態３を示している。図８は支持面部１６が揺動可能に形成された荷物支持具１を示し、図９は複数の層からなる荷物支持具１を模式的に示している。
【００５１】
本実施形態における荷物支持具１は、カウンタ１１の上面に対する支持面部１６の傾斜角度を調整する角度調整手段３５を備えている。角度調整手段３５は、支持面部１６の傾斜角度を、例えば１０°以上４０°以下の範囲で調整できるようになっている。
【００５２】
図８に示す荷物支持具１は、角度調整手段３５としての軸部３６及びストッパ３７を有している。支持面部１６及び底面部１５は、それぞれ矩形板状に形成されており、壁面５側の端部が互いに組み合わさるような凹凸状に形成されている。さらに、支持面部１６及び底面部１５の上記各端部には、互いに組み合わされた状態で幅方向（図８で紙面に直交する方向）に延びる横孔（図示省略）が形成されている。そして、上記横孔に軸部３６を挿入することによって、支持面部１６が底面部１５に対して（つまり、カウンタ１１の上面に対して）揺動可能になっている。
【００５３】
ストッパ３７は、ＥＶＡ発泡体等によって形成され、底面部１５と支持面部１６との間に挟まれている。ストッパ３７は、底面部１５上で移動可能になっており、所望の角度に傾けられた支持面部１６の下面を支持するように構成されている。ストッパ３７の上面は、凸面状に形成されているので、傾斜角度が変化する支持面部１６を適切に支持できる。
【００５４】
軸部３６は、例えばＥＶＡ発泡体や金属材料等によって構成することができる。本実施形態における前面部１７は、例えば支持面部１６の前端に設けられている。前面部１７は、底面部１５の前端に設けてもよい。
【００５５】
尚、支持面部１６を底面部１５に対して揺動可能にする構成としては、上記軸部３６を設けた構成に限らず、例えばヒンジ部材を介して支持面部１６と底面部１５とを連結するようにしてもよい。
【００５６】
図９に示す荷物支持具１は複数の層からなり、第１層部４１、第２層部４２及び第３層部４３を有している。第１〜第３層部４１，４２，４３は、例えば前面側における厚みが互いに異なっており、第１層部４１は第３層部４３の３倍の厚みを有し、第２層部４２は第３層部４３の２倍の厚みを有している。
【００５７】
例えば、第１層部４１はカウンタ１１の上面に設置され、この第１層部４１の上に第２層部４２が積層されている。さらに、第２層部４２の上に第３層部４３が積層されている。このとき、第１層部４１が底面部１５となり、第３層部４３が支持面部１６となっている。
【００５８】
第１〜第３層部４１，４２，４３は、例えば着脱自在な粘着材テープ３８等によって互いに貼り合わされている。そのことにより、第１〜第３層部４１，４２，４３は、積層する順序や組み合わせが自在となっている。そして、第１〜第３層部４１，４２，４３の何れかを取り外したり、全てを組み合わせたりすることで、支持面部１６のカウンタ１１に対する傾斜角度を調整できるようになっている。
【００５９】
また、図９に示す例では、第１層部４１の粘着材テープ３８が移動規制部１９となっている。尚、第１〜第３層部４１，４２，４３は、粘着材テープに限らず他の構成によって互いに着脱可能としてもよい。例えば、第１〜第３層部４１，４２，４３に互いに係合する凹部や凸部等の係合部を形成することによって着脱可能な構成とすることが可能である。
【００６０】
したがって、本実施形態によると、上記実施形態１で説明したように荷物支持具１によって荷物１２をカウンタ１１上で確実に支持できると共に、角度調整手段３５によってカウンタ１１上面に対する支持面部１６の傾斜角度を調整できるので、壁面５への荷物１２のもたれ掛け具合を調節することができる。そのため、例えば、カウンタ１１の奥行きが比較的広い場合には支持面部１６の傾斜角度を小さく設定することにより、大きい荷物１２でも支持面部１６により安定して支持することができる。一方、カウンタ１１の奥行きが比較的狭い場合には支持面部１６の傾斜角度を大きく設定することにより、荷物１２を壁面５に大きくもたれ掛けさせる。そのことにより、狭いカウンタ１１であっても荷物１２を確実に支持することができる。つまり、角度調整手段３５を設けることにより、カウンタ１１の奥行きの大きさに応じて、荷物１２をより適切に支持できることとなる。
【００６１】
特に、角度調整手段３５を図８に示すような軸部３６を有する構成とすれば、支持面部１６を軸部３６周りに揺動させることにより、支持面部１６を所望の傾斜角度に調整することができる。
【００６２】
一方、角度調整手段３５を図９に示すような複数の層からなる構成とすれば、支持面部１６の傾斜角度を調整できると共に、第１〜第３層部４１，４２，４３のうち取り外した部材を他の場所で使用することができる。さらに、第１〜第３層部４１，４２，４３同士を着脱可能に固定させる粘着材テープ３８の何れかを移動規制部１９として利用したので、底面部１５の移動を規制するための部材を上記粘着材テープ３８と別個に設ける必要がない。
【００６３】
尚、上記実施形態では、トイレ室のカウンタ１１に設置された荷物支持具１について説明したが、本考案はこれに限らず、壁面から側方に延びるカウンタ上で荷物を支持する荷物支持具について広く適用することができる。
【産業上の利用可能性】
【００６４】
以上説明したように、本考案は、壁面から側方に延びるカウンタ上で荷物を支持する荷物支持具について有用である。
【符号の説明】
【００６５】
１  荷物支持具
５  壁面
６  ケーシング
７  小便器
１１  カウンタ
１２  荷物
１５  底面部
１６  支持面部
１７  前面部
１９  移動規制部
２２  表示物
２３  表示物保持部
２５  表示部
２６  シート部
３１  排水溝
３２  排水孔
３５  角度調整手段
３６  軸部
３７  ストッパ
３８  粘着材テープ
【図１】
0003195754.tif 000003
【図２】
0003195754.tif 000004
【図３】
0003195754.tif 000005
【図４】
0003195754.tif 000006
【図５】
0003195754.tif 000007
【図６】
0003195754.tif 000008
【図７】
0003195754.tif 000009
【図８】
0003195754.tif 000010
【図９】
0003195754.tif 000011